(57)【要約】    【課題】      一斉着信要求をグループ毎にキューイングして、応答した着信先通信端末との間の呼接続処理をＳＩＰ手順で実行することが可能となり、ＳＩＰを採用するＩＰ電話システムに対して一斉着信サービスを提供すること。    【解決手段】  セントレックスゲートウェイ１０４は、発信側ＳＩＰ電話機から受信した一斉着信要求に含まれる一斉着信先の電話番号に基づいて一斉着信先のグループを判別し、一斉着信要求に含まれる呼情報を判別したグループによりキューイングし、判別したグループ内の複数のＳＩＰ電話機１０６，１０７に一斉に着信要求を送出する。また、一斉に着信要求を送出したＳＩＰ電話機１０６，１０７の着信鳴動により着信応答操作を行ったＰＨＳ端末Ｔ１から送信される特定情報をゲートキーパ１０３から受信すると、上記キューイング処理した該当グループの呼情報に基づいて、発信先の通信端末との間で呼接続処理を実行する。  【選択図】      図５
2006033517.tif 000002
【特許請求の範囲】
【請求項１】
Ｈ．３２３端末並びにゲートキーパ装置との間でＨ．３２３プロトコルによる呼接続を行うとともに、ＳＩＰプロトコルに対応したＩＰ電話機の呼接続を制御するＳＩＰサーバとの間でＳＩＰプロトコルによる呼接続を行う呼接続処理装置であって、
一斉着信に応答する複数のＩＰ電話機及びＨ．３２３端末の加入者番号をグループ毎に記憶する一斉着信用加入者番号記憶手段と、
前記グループ内で一斉着信に代表して応答する親端末の加入者番号を記憶する親番号記憶手段と、
特定情報を記憶する特定情報記憶手段と、
前記ＳＩＰサーバから受信する一斉着信要求に含まれる親端末の加入者番号に基づいて、前記一斉着信用加入者番号記憶手段から一斉着信先のグループを判別する判別手段と、
前記一斉着信要求に含まれる呼情報を、前記判別されたグループ毎に蓄積する蓄積手段と、
前記一斉着信要求に応答したＩＰ電話機又はＨ．３２３端末から受信する指示情報が前記特定情報である場合、当該ＩＰ電話機又はＨ．３２３端末が属するグループの呼情報を前記蓄積手段から抽出し、当該呼情報に基づいて前記ＳＩＰサーバとの間でＳＩＰプロトコルによる呼接続処理を実行する呼接続処理手段と、
を具備することを特徴とする呼接続処理装置。
【請求項２】
ＩＰ網に接続されＳＩＰプロトコルに対応したＩＰ電話機と、前記ＩＰ電話機の呼接続を制御するＳＩＰサーバと、Ｈ．３２３プロトコルに対応したＨ．３２３端末と、前記Ｈ．３２３端末の呼接続を制御するゲートキーパ装置と、前記Ｈ．３２３端末並びに前記ゲートキーパ装置との間でＨ．３２３プロトコルによる呼接続を行うとともに前記ＳＩＰサーバとの間でＳＩＰプロトコルによる呼接続を行うセントレックスゲートウェイ装置とからなるＩＰ電話システムにおいて、
前記ＳＩＰサーバが発信側端末により発呼された発呼先電話番号に対応付けられたグループ内の前記ＩＰ電話機及び前記セントレックスゲートウェイ装置に一斉着信を行い、前記一斉着信に対して前記グループ内の前記Ｈ．３２３端末から着信応答があったとき前記ゲートキーパ装置を介して前記セントレックスゲートウェイ装置が前記着信応答を受け付け着信応答したＨ．３２３端末と発信側端末との間の呼接続処理を実行することを特徴とするＩＰ電話システム。
【請求項３】
前記セントレックスゲートウェイ装置は一斉着信のあった呼情報を前記グループごとに蓄積し、複数蓄積された呼情報のうち着信の早いものから順に着信応答させることを特徴とする請求項２記載のＩＰ電話システム。
【請求項４】
前記セントレックスゲートウェイ装置は特定情報を予め記憶し、前記Ｈ．３２３端末から前記特定情報が送信されたときに前記一斉着信に対する着信応答であると判断することを特徴とする請求項２記載のＩＰ電話システム。
【請求項５】
前記Ｈ．３２３端末がＰＨＳゲートウェイ装置に管理されるＰＨＳ端末であることを特徴とする請求項２記載のＩＰ電話システム。
【発明の詳細な説明】
【技術分野】
【０００１】
本発明は、呼接続処理装置に関し、グループ化された複数の端末への一斉着信を制御する呼接続処理装置に関する。
【背景技術】
【０００２】
従来、特許文献１に記載されたマルチポイント着信可能なゲートキーパでは、複数のＩＰ電話機各々にエンドポイントのエイリアスアドレスを付与し、このエイリアスアドレスに基づいてＩＰ電話機のグループ分けを登録しておき、発呼時のシグナリングのＩＰアドレスからエイリアスアドレスを認識して着側のグループを認識し、そのグループに属する全てのＩＰ電話機に呼設定を行って、マルチポイント着呼を実現している。
【特許文献１】特開２００２−３５９６５２号公報
【発明の開示】
【発明が解決しようとする課題】
【０００３】
しかしながら、上記特許文献１に記載されたマルチポイント着信可能なゲートキーパでは、上記マルチポイント着呼の実現をＨ．３２３手順による呼制御機能を備えるゲートキーパにより実現可能としているだけであり、ＩＰ電話システムにおいて今後主流の技術となるＳＩＰ（Session Initiation Protocol ）手順には対応していないため、ＳＩＰ手順に基づくマルチポイント着信サービスは実現できない。
【０００４】
本発明はかかる点に鑑みてなされたものであり、グループと一斉着信用加入者番号及びグループ内の親端末の電話番号とを対応付けて記憶したテーブルを設け、このテーブルに基づいて一斉着信要求をグループ毎にキューイングする処理をＳＩＰ手順で実行して、ＳＩＰ手順による一斉着信を実現する呼接続処理装置を提供することを目的とする。
【課題を解決するための手段】
【０００５】
本発明の呼接続処理装置は、Ｈ．３２３端末並びにゲートキーパ装置との間でＨ．３２３プロトコルによる呼接続を行うとともに、ＳＩＰプロトコルに対応したＩＰ電話機の呼接続を制御するＳＩＰサーバとの間でＳＩＰプロトコルによる呼接続を行う呼接続処理装置であって、一斉着信に応答する複数のＩＰ電話機及びＨ．３２３端末の加入者番号をグループ毎に記憶する一斉着信用加入者番号記憶手段と、前記グループ内で一斉着信に代表して応答する親端末の加入者番号を記憶する親番号記憶手段と、特定情報を記憶する特定情報記憶手段と、前記ＳＩＰサーバから受信する一斉着信要求に含まれる親端末の加入者番号に基づいて、前記一斉着信用加入者番号記憶手段から一斉着信先のグループを判別する判別手段と、前記一斉着信要求に含まれる呼情報を、前記判別されたグループ毎に蓄積する蓄積手段と、前記一斉着信要求に応答したＩＰ電話機又はＨ．３２３端末から受信する指示情報が前記特定情報である場合、当該ＩＰ電話機又はＨ．３２３端末が属するグループの呼情報を前記蓄積手段から抽出し、当該呼情報に基づいて前記ＳＩＰサーバとの間でＳＩＰプロトコルによる呼接続処理を実行する呼接続処理手段と、を具備するようにしたものである。
【発明の効果】
【０００６】
本発明に係る呼接続処理装置は、一斉着信要求をグループ毎にキューイングして、応答した着信先通信端末との間の呼接続処理をＳＩＰ手順で実行することが可能となり、ＳＩＰを採用するＩＰ電話システムに対して一斉着信サービスを提供することを可能にする。
【発明を実施するための最良の形態】
【０００７】
本発明の第１の態様に係る呼接続処理装置は、Ｈ．３２３端末並びにゲートキーパ装置との間でＨ．３２３プロトコルによる呼接続を行うとともに、ＳＩＰプロトコルに対応したＩＰ電話機の呼接続を制御するＳＩＰサーバとの間でＳＩＰプロトコルによる呼接続を行う呼接続処理装置であって、一斉着信に応答する複数のＩＰ電話機及びＨ．３２３端末の加入者番号をグループ毎に記憶する一斉着信用加入者番号記憶手段と、前記グループ内で一斉着信に代表して応答する親端末の加入者番号を記憶する親番号記憶手段と、特定情報を記憶する特定情報記憶手段と、前記ＳＩＰサーバから受信する一斉着信要求に含まれる親端末の加入者番号に基づいて、前記一斉着信用加入者番号記憶手段から一斉着信先のグループを判別する判別手段と、前記一斉着信要求に含まれる呼情報を、前記判別されたグループ毎に蓄積する蓄積手段と、前記一斉着信要求に応答したＩＰ電話機又はＨ．３２３端末から受信する指示情報が前記特定情報である場合、当該ＩＰ電話機又はＨ．３２３端末が属するグループの呼情報を前記蓄積手段から抽出し、当該呼情報に基づいて前記ＳＩＰサーバとの間でＳＩＰプロトコルによる呼接続処理を実行する呼接続処理手段と、を具備する構成を採る。
【０００８】
この構成によれば、一斉着信要求をグループ毎にキューイングして、応答した着信先通信端末との間の呼接続処理をＳＩＰ手順で実行することが可能となり、ＳＩＰを採用するＩＰ電話システムに対して一斉着信サービスを提供することができる。
【０００９】
本発明の第２の態様に係るＩＰ電話システムは、ＩＰ網に接続されＳＩＰプロトコルに対応したＩＰ電話機と、前記ＩＰ電話機の呼接続を制御するＳＩＰサーバと、Ｈ．３２３プロトコルに対応したＨ．３２３端末と、前記Ｈ．３２３端末の呼接続を制御するゲートキーパ装置と、前記Ｈ．３２３端末並びに前記ゲートキーパ装置との間でＨ．３２３プロトコルによる呼接続を行うとともに前記ＳＩＰサーバとの間でＳＩＰプロトコルによる呼接続を行うセントレックスゲートウェイ装置とからなるＩＰ電話システムにおいて、前記ＳＩＰサーバが発信側端末により発呼された発呼先電話番号に対応付けられたグループ内の前記ＩＰ電話機及び前記セントレックスゲートウェイ装置に一斉着信を行い、前記一斉着信に対して前記グループ内の前記Ｈ．３２３端末から着信応答があったとき前記ゲートキーパ装置を介して前記セントレックスゲートウェイ装置が前記着信応答を受け付け着信応答したＨ.３２３端末と発信側端末との間の呼接続処理を実行する構成を採る。
【００１０】
この構成によれば、一斉着信要求をグループ毎にキューイングして、応答した着信先通信端末との間の呼接続処理をＳＩＰ手順で実行することが可能となり、ＳＩＰを採用するＩＰ電話システムに対して一斉着信サービスを提供することができる。
【００１１】
本発明の第３の態様は、第２の態様に係るＩＰ電話システムにおいて、前記セントレックスゲートウェイ装置は一斉着信のあった呼情報を前記グループごとに蓄積し、複数蓄積された呼情報のうち着信の早いものから順に着信応答させる構成を採る。
【００１２】
この構成によれば、蓄積した一斉着信要求を着信の早いものから順に着信応答させることができる。
【００１３】
本発明の第４の態様は、第２の態様に係るＩＰ電話システムにおいて、前記セントレックスゲートウェイ装置は特定情報を予め記憶し、前記Ｈ．３２３端末から前記特定情報が送信されたときに前記一斉着信に対する着信応答であると判断する構成を採る。
【００１４】
この構成によれば、一斉着信に応答する着信先通信端末における応答操作が容易になる。
【００１５】
本発明の第５の態様は、第２の態様に係るＩＰ電話システムにおいて、前記Ｈ．３２３端末がＰＨＳゲートウェイ装置に管理されるＰＨＳ端末である構成を採る。
【００１６】
この構成によれば、一斉着信サービスをＰＨＳ端末に対しても提供することができる。
【００１７】
以下、本発明の実施の形態について図面を参照して詳細に説明する。
【００１８】
（実施の形態１）
図１は、本発明の実施の形態１に係るＩＰ電話システムの全体構成を示す図である。図１において、ＩＰ電話システム１００は、ＰＨＳゲートウェイ（ＰＨＳ−ＧＷ）１０１，１０２と、ゲートキーパ１０３と、セントレックスゲートウェイ（セントレックスＧＷ）１０４と、ＳＩＰサーバ１０５と、ＳＩＰ電話機１０６，１０７とが、ＩＰネットワーク１１０を介して相互に接続されている。
【００１９】
ＰＨＳゲートウェイ１０１には、基地局（ＢＳ）２０１，２０２が接続され、各基地局２０１，２０２の無線通信エリアＡ１内には、４台のＰＨＳ端末Ｔ１〜Ｔ４が存在する場合を示している。また、ＰＨＳゲートウェイ１０２には、基地局（ＢＳ）３０１，３０２が接続され、各基地局３０１，３０２の無線通信エリアＡ２内には、２台のＰＨＳ端末Ｔ５，Ｔ６が存在する場合を示している。
【００２０】
なお、ＳＩＰ電話機１０６，１０７と基地局２０１，２０２の無線通信エリアＡ１に存在するＰＨＳ端末Ｔ１〜Ｔ４は、一斉着信の受信対象となる同一グループ内の通信端末であるものとする。
【００２１】
ＰＨＳゲートウェイ１０１（１０２）は、無線通信エリアＡ１（Ａ２）内に設置された基地局２０１，２０２（３０１，３０２）を収容し、ゲートキーパ１０３との間で呼制御に係るＨ．３２３メッセージを交換し、セントレックスゲートウェイ１０４との間で呼制御に係るＳＩＰ（Session Initiation Protocol ）メッセージを交換し、基地局２０１（２０２）の無線通信エリアＡ１内に存在するＰＨＳ端末Ｔ１〜Ｔ４（Ｔ５，Ｔ６）との間で無線通信メッセージを交換して、ＰＨＳ端末Ｔ１〜Ｔ４（Ｔ５，Ｔ６）のＩＰネットワーク１１０を介した発着信及び通話に係る通信制御を行う。
【００２２】
基地局２０１，２０２（３０１，３０２）は、ＰＨＳ端末Ｔ１〜Ｔ４（Ｔ５，Ｔ６）との間で無線通信を確立してＰＨＳ端末Ｔ１〜Ｔ４（Ｔ５，Ｔ６）とＰＨＳゲートウェイ１０１（１０２）との通信を可能とする。
【００２３】
ＰＨＳ端末Ｔ１〜Ｔ６は、電話番号（Ｅ．１６４アドレス）を有する電話端末であり、基地局２０１，２０２，３０１，３０２を介してＰＨＳゲートウェイ１０１，１０２と通信して、ＩＰネットワーク１１０を介して他のＰＨＳ端末やＩＰ電話機との通信を行う。また、ＰＨＳ端末Ｔ１〜Ｔ６は、公衆電話番号も有し、基地局２０１，２０２，３０１，３０２を介してＰＨＳゲートウェイ１０１，１０２と通信して、ＩＰネットワーク１１０を介して他のＰＳＴＮ端末との通信を行う。なお、ＰＨＳ端末Ｔ１〜Ｔ６は、ＩＰ端末として機能する。
【００２４】
ＳＩＰ電話機１０６（１０７）は、セントレックスゲートウェイ１０４との間で呼制御に係るＳＩＰメッセージを交換して、ＩＰネットワーク１１０を介して他のＰＨＳ端末やＩＰ電話機との通信を行う。また、ＳＩＰ電話機１０６（１０７）は、セントレックスゲートウェイ１０４から一斉に着信要求を受信すると、一斉に着信鳴動を行う。このＳＩＰ電話機１０６（１０７）における一斉着信鳴動により、無線通信エリアＡ１内に存在するＰＨＳ端末Ｔ１〜Ｔ４のユーザは、一斉着信であることを認識する。
【００２５】
これは、本実施の形態１では、セントレックスゲートウェイ１０４は、ＳＩＰ電話機１０６，１０７とＰＨＳ端末Ｔ１〜Ｔ４が属するグループに対する一斉着信要求を受信した場合、グループ内のＳＩＰ電話機１０６，１０７に着信要求を一斉に送出し、ＰＨＳ端末Ｔ１〜Ｔ４には着信要求を送出しないためである。これらの一斉着信動作の詳細については、後述する。
【００２６】
ゲートキーパ１０３は、ＰＨＳゲートウェイ１０１，１０２及びセントレックスゲートウェイ１０４との間で呼制御に係るＨ．３２３メッセージを交換し、ＰＨＳ端末Ｔ１〜Ｔ６及びセントレックスゲートウェイ１０４との間で呼制御に係るＳＩＰメッセージを交換して、ＰＨＳ端末Ｔ１〜Ｔ６のＩＰネットワーク１１０を介した発着信及び通話に係る電話番号とＩＰアドレスの交換を行う。
【００２７】
図２は、本実施の形態１のセントレックスゲートウェイ１０４の構成を示すブロック図である。図２において、セントレックスゲートウェイ１０４は、ＣＰＵ４０１、呼接続制御部４０２、メモリ４０３及びＴＣＰ／ＩＰ制御部４０４により主に構成されている。
【００２８】
ＣＰＵ（Central Processing Unit ）４０１は、内蔵するＲＯＭ（Read Only Memory）（図示せず）に記憶された制御プログラムに基づいてセントレックスゲートウェイ１０４全体を制御する。また、ＣＰＵ４０１は、例えば、ＴＣＰ／ＩＰ制御部４０４によりＳＩＰ電話機から受信した一斉着信要求メッセージに含まれる一斉着信先の電話番号（加入者番号）に基づいて一斉着信先のグループを判別する処理と、一斉着信要求メッセージに含まれる呼情報を判別したグループによりキューイングする処理と、判別したグループ内の複数のＳＩＰ電話機１０６，１０７に一斉に着信要求を送出する処理とを実行する。
【００２９】
また、ＣＰＵ４０１は、一斉に着信要求を送出したＳＩＰ電話機１０６，１０７の着信鳴動により着信応答操作を行ったＰＨＳ端末Ｔ１（他のＰＨＳ端末Ｔ２〜Ｔ３でもよい）から送信される特定情報をゲートキーパ１０３から受信すると、上記キューイング処理した該当グループの呼情報に基づいて、発信先の通信端末との間で呼接続処理を実行する。なお、ＣＰＵ４０１は、判別手段、一斉着信処理手段及び呼接続処理手段として機能する。
【００３０】
呼接続制御部４０２は、呼制御プログラムを記憶し、この呼制御プログラムに基づいてＰＨＳゲートウェイ１０１，１０２及びゲートキーパ１０３との間の呼接続制御処理を実行する。
【００３１】
メモリ４０３は、図３（ａ）〜（ｄ）に示す一斉着信用加入者番号テーブル５０１、一斉着信用親番号テーブル５０２、加入者単位グループテーブル５０３及び特番テーブル５０４と、図４に示す代表一斉着信キューイングテーブル６００とを記憶する。
【００３２】
図３（ａ）の一斉着信用加入者番号テーブル５０１には、グループ番号と、契約番号（加入者番号）と、内線番号と、ユーザＩＤと、パスワードとを対応付けて記憶する。図３（ｂ）の一斉着信用親番号テーブル５０２には、グループ番号と、グループ内で一斉着信に代表して応答する親端末（代表通信端末）の親番号（加入者番号）とを対応付けて記憶する。図３（ｃ）の加入者単位グループテーブル５０３には、加入者の電話番号と、属するグループのグループ番号とを対応付けて記憶する。
【００３３】
図４の代表一斉着信キューイングテーブル６００には、グループ番号と、一斉着信要求を受信した順番を示す着信順位と、発信側通信端末から受信した一斉着信要求に含まれた呼情報（親端末の電話番号を含む呼に関する様々な内部情報）とを対応付けて記憶する。
【００３４】
なお、一斉着信用加入者番号テーブル５０１、一斉着信用親番号テーブル５０２、加入者単位グループテーブル５０３及び特番テーブル５０４は記憶手段として機能し、代表一斉着信キューイングテーブル６００は蓄積手段として機能する。
【００３５】
ＴＣＰ／ＩＰ制御部４０４は、ＴＣＰ／ＩＰ制御プログラムを記憶し、このＴＣＰ／ＩＰ制御プログラムに基づいて、Ｈ．３２３プロトコル又はＳＩＰプロトコルに変換したメッセージをＰＨＳゲートウェイ１０１，１０２及びゲートキーパ１０３との間で送受信する。
【００３６】
したがって、本実施の形態１のセントレックスゲートウェイ１０４は、呼接続処理装置として機能する。
【００３７】
ＳＩＰサーバ１０５は、予め登録されたＳＩＰ電話機１０６，１０７との間で呼制御に係るＳＩＰメッセージを交換し、ＳＩＰ電話機１０６，１０７のＩＰネットワーク１１０を介した発着信及び通話に係る通信制御を行う。
【００３８】
次に、図１には示さない外部のＳＩＰ電話機から、ＳＩＰ電話機１０６，１０７とＰＨＳ端末Ｔ１〜Ｔ４が属するグループに対する一斉着信要求が送信された場合に、図１に示したＩＰ電話システム１００における動作について、図５及び図６に示すシーケンス図を用いて説明する。
【００３９】
なお、この動作説明に対応するため、ＰＨＳゲートウェイ１０１、ゲートキーパ１０３、セントレックスゲートウェイ１０４、ＳＩＰ電話機１０６，１０７及びＰＨＳ端末Ｔ１，Ｔ２には、以下のような電話番号とＩＰアドレスが設定されているものとする。
【００４０】
ＳＩＰ電話機１０６には、電話番号「０５０−１１１１１１１１」と、ＩＰアドレス「１９２．１６８．１．２」が設定され、グループ内の親端末であるものとする。この親端末の電話番号は、図３（ｂ）の一斉着信用親番号テーブル５０２にグループ番号「１」と対応付けられて記憶されている。また、ＳＩＰ電話機１０７には、電話番号「０５０−１１１１２２２２」と、ＩＰアドレス「１９２．１６８．１．３」が設定されているものとする。
【００４１】
また、ＰＨＳ端末Ｔ１には、電話番号「０５０−１１１１４４４４」が設定され、ＰＨＳ端末Ｔ２には、電話番号「０５０−１１１１５５５５」が設定されているものとする。また、ＰＨＳゲートウェイ１０１には、ＩＰアドレス「１９２．１６８．１．４」が設定され、ゲートキーパ１０３には、ＩＰアドレス「１９２．１６８．１０」が設定され、セントレックスゲートウェイ１０４には、電話番号「０５０−１１１１３３３３」と、ＩＰアドレス「１９２．１６８．１．１１」が設定されているものとする。
【００４２】
したがって、この場合、セントレックスゲートウェイ１０４には、電話番号「０５０−１１１１３３３３」が設定されているため、ＳＩＰサーバ１０５に対しては、グループ内の一斉着信先の端末として処理させることができる。
【００４３】
図５において、発信側のＳＩＰ電話機は、上記グループ内の親端末の電話番号「０５０−１１１１１１１１」をダイヤルして発呼すると、そのダイヤル情報を含む呼情報を設定したＩＮＶＩＴＥメッセージをＳＩＰサーバ１０５に送出する（ステップＳ５０１）。ＳＩＰサーバ１０５は、ＳＩＰ電話機からＩＮＶＩＴＥメッセージを受け付けると、４０７  Ｐｒｏｘｙ  Ａｕｔｈｏｒｉｚａｔｉｏｎ  Ｒｅｑｕｉｒｅｄ（プロキシ認証受付）メッセージをＳＩＰ電話機に返送する（ステップＳ５０２）。
【００４４】
次に、ＳＩＰ電話機は、ＳＩＰサーバ１０５から４０７  Ｐｒｏｘｙ  Ａｕｔｈｏｒｉｚａｔｉｏｎ  Ｒｅｑｕｉｒｅｄ（プロキシ認証受付）メッセージを受け付けると、ＡＣＫ（応答）メッセージをＳＩＰサーバ１０５に送出し（ステップＳ５０３）、続けて、自身のプロキシ認証情報を設定したＩＮＶＩＴＥメッセージをＳＩＰサーバ１０５に送出する（ステップＳ５０４）。
【００４５】
次に、ＳＩＰサーバ１０５は、ＳＩＰ電話機からＡＣＫメッセージとＩＮＶＩＴＥメッセージを受け付けると、ＩＮＶＩＴＥメッセージに設定されたプロキシ認証情報によりＳＩＰ電話機をプロキシ認証し、１００Ｔｒｙｉｎｇ（試行中）メッセージをＳＩＰ電話機に返送する（ステップＳ５０５）。
【００４６】
次に、ＳＩＰサーバ１０５は、発信側のＳＩＰ電話機から受信したＩＮＶＩＴＥメッセージに設定された呼情報に基づいて、
「From:<sip:05044444444@voip-ca.ocn.ne.jp>
To:<sip:05011111111@voip-ca.ocn.ne.jp>
Req-URI:<sip:05011111111@voip-ca.ocn.ne.jp>」
のような設定をしたＩＮＶＩＴＥメッセージを一斉着信先グループの親端末であるＳＩＰ電話機１０６に送出する（ステップＳ５０６）。
【００４７】
なお、ＳＩＰサーバ１０５は親端末の電話番号と同一グループに属する子端末の電話番号とを対応付けたテーブルを記憶しており、発信側のＳＩＰ電話機が発呼した親端末の電話番号「０５０−１１１１１１１１」から、同一グループの子端末であるＳＩＰ電話機１０７とセントレックスゲートウェイ１０４とを認識することができる。
【００４８】
ＳＩＰ電話機１０６は、ＳＩＰサーバ１０５からＩＮＶＩＴＥメッセージを受け付けると、１００Ｔｒｙｉｎｇ（試行中）メッセージをＳＩＰサーバ１０５に返送し（ステップＳ５０７）、続けて、１８０ＲｉｎｇｉｎｇメッセージをＳＩＰサーバ１０５に返送する（ステップＳ５０８）。
【００４９】
ＳＩＰサーバ１０５は、ＳＩＰ電話機１０６から１８０Ｒｉｎｇｉｎｇメッセージを受け付けると、その１８０Ｒｉｎｇｉｎｇメッセージを発信側のＳＩＰ電話機に送出する（ステップＳ５０９）。発信側のＳＩＰ電話機のユーザは、ＳＩＰサーバ１０５から１８０Ｒｉｎｇｉｎｇメッセージを受信することにより、一斉着信先の親端末が呼び出し中であることを認識する。
【００５０】
続いて、ＳＩＰサーバ１０５は、一斉着信先であるグループ内の他の子端末であるＳＩＰ電話機１０７にＩＮＶＩＴＥメッセージを送出する（ステップＳ５１０）。ＳＩＰ電話機１０７は、ＳＩＰサーバ１０５からＩＮＶＩＴＥメッセージを受け付けると、１００Ｔｒｙｉｎｇ（試行中）メッセージをＳＩＰサーバ１０５に返送し（ステップＳ５１１）、続けて、１８０ＲｉｎｇｉｎｇメッセージをＳＩＰサーバ１０５に返送する（ステップＳ５１２）。
【００５１】
なお、ステップＳ５０６からステップＳ５１２では、一斉着信先のＳＩＰ電話機１０６，１０７にシーケンシャルに行っているが、実際には一斉に報知される。
【００５２】
次に、ＳＩＰサーバ１０５は、発信側のＳＩＰ電話機から受信した呼情報に基づいて、一斉着信先であるグループ内の他の子端末であるセントレックスゲートウェイ１０４に、
「Req-URI:<sip:05011113333@voip-ca.ocn.ne.jp>
To:<sip:05011111111@voip-ca.ocn.ne.jp>
P-N-RepNo:05011111111」
のように独自ヘッダ「P-N-RepNo:」を付加して一斉着信であることを示した呼情報を設定したＩＮＶＩＴＥメッセージを送出する（ステップＳ５１３）。
【００５３】
ここで、「P-N-RepNo:05011111111 」は、一斉着信先の親端末であるＳＩＰ電話機１０６の電話番号を示している。
【００５４】
セントレックスゲートウェイ１０４は、ＳＩＰサーバ１０５からＩＮＶＩＴＥメッセージを受け付けると、ＣＰＵ４０１は、上記「P-N-RepNo:05011111111 」に基づいて、図３（ｂ）の一斉着信用親番号テーブル５０２から一斉着信先のグループ番号が「１」であることを判別する。
【００５５】
そして、ＣＰＵ４０１は、ＩＮＶＩＴＥメッセージに設定された呼情報を、判別したグループ番号に対応付けて、図４の代表一斉着信キューイングテーブル６００に蓄積する。
【００５６】
なお、上述の説明では親番号（親端末番号）からグループを判別するようにしたが、ＳＩＰサーバが、グループごとに別々の番号を割り当てたセントレックスゲートウェイ装置のダミー番号（代表一斉着信用加入者番号）を指定してＩＮＶＩＴＥを送ることで、セントレックスゲートウェイ装置がキューイングするグループを判別するようにしてもよい。
【００５７】
次に、セントレックスゲートウェイ１０４は、１００Ｔｒｙｉｎｇ（試行中）メッセージをＳＩＰサーバ１０５に返送し（ステップＳ５１４）、続けて、１８０ＲｉｎｇｉｎｇメッセージをＳＩＰサーバ１０５に返送する（ステップＳ５１５）。
【００５８】
次に、ＳＩＰ電話機１０６，１０７の一斉着信鳴動により、無線通信エリアＡ１に存在するＰＨＳ端末Ｔ１のユーザが一斉着信に応答しようとして、「＃」ボタンを操作し、オフフック操作すると（ステップＳ５１６）、ＰＨＳ端末Ｔ１は、「＃」情報と自身の電話番号「０５０−１１１１５５５５」を設定したＣＣ  ＳＥＴＵＰ（呼設定）メッセージをＰＨＳゲートウェイ１０１に送出する（ステップＳ５１７）。
【００５９】
ＰＨＳゲートウェイ１０１は、ＰＨＳ端末Ｔ１からＣＣ  ＳＥＴＵＰ（呼設定）メッセージを受け付けると、「＃」情報と電話番号「０５０−１１１１５５５５」を設定したＡＲＱ（Admission Request ：参加要求）メッセージをゲートキーパ１０３に送出する（ステップＳ５１８）。ゲートキーパ１０３は、ＰＨＳゲートウェイ１０１からＡＲＱ（参加要求）メッセージを受信すると、ＡＣＦ（Admisson Confirm：許可確認）メッセージをＰＨＳゲートウェイ１０１に返送する（ステップＳ５１９）。
【００６０】
次に、ＰＨＳゲートウェイ１０１は、「＃」情報と電話番号「０５０−１１１１５５５５」を設定したＳＥＴＵＰ（呼設定）メッセージをセントレックスゲートウェイ１０４に送出する（ステップＳ５２０）。セントレックスゲートウェイ１０４は、ＰＨＳゲートウェイ１０１からＳＥＴＵＰ（呼設定）メッセージを受け付けると、設定された「＃」情報に基づいて図３（ｄ）の特番テーブル５０４を参照して、一斉着信応答であることを認識する。
【００６１】
次に、セントレックスゲートウェイ１０４は、ＣＡＬＬ  ＰＲＯＣ（CALL PROCEEDING ：呼設定受付）メッセージをＰＨＳゲートウェイ１０１に送出し（ステップＳ５２１）、続いて、ＡＲＱ（参加要求）メッセージをゲートキーパ１０３に送出する（ステップＳ５２２）。ゲートキーパ１０３は、セントレックスゲートウェイ１０４からＡＲＱ（参加要求）メッセージを受け付けると、ＡＣＦ（許可確認）メッセージをセントレックスゲートウェイ１０４に返送する（ステップＳ５２３）。
【００６２】
次に、セントレックスゲートウェイ１０４は、ゲートキーパ１０３からＡＣＦ（許可確認）メッセージを受け付けると、上記ステップＳ５１３で判別した一斉着信先のグループ番号「１」に基づいて、図４の代表一斉着信キューイングテーブル６００に蓄積されたグループ番号「１」の呼情報のうち、着信順位が早いものを抽出し、この呼情報を設定したＣＯＮＮ（接続）メッセージをＰＨＳゲートウェイ１０１に送出する（ステップＳ５２４）。
【００６３】
次に、ＰＨＳゲートウェイ１０１は、セントレックスゲートウェイ１０４からＣＯＮＮ（接続）メッセージを受け付けると、ＣＣ  ＣＯＮＮ（接続）メッセージをＰＨＳ端末Ｔ１に送出する（ステップＳ５２５）。ＰＨＳ端末Ｔ１は、ＰＨＳゲートウェイ１０１からＣＣ  ＣＯＮＮ（接続）メッセージを受け付けると、ＣＣ  ＣＯＮＮ  ＡＣＫ（接続応答）メッセージをＰＨＳゲートウェイ１０１に返送する（ステップＳ５２６）。
【００６４】
また、セントレックスゲートウェイ１０４は、２００ＯＫメッセージをＳＩＰサーバ１０５に送出する（ステップＳ５２７）。ＳＩＰサーバ１０５は、セントレックスゲートウェイ１０４から２００ＯＫメッセージを受け付けると、２００ＯＫメッセージを発信側ＳＩＰ電話機に送出する（ステップＳ５２８）。
【００６５】
次に、ＳＩＰ電話機は、ＳＩＰサーバ１０５から２００ＯＫメッセージを受け付けると、ＡＣＫメッセージをＳＩＰサーバ１０５に返送する（ステップＳ５２９）。ＳＩＰサーバ１０５は、ＳＩＰ電話機からＡＣＫメッセージを受け付けると、ＡＣＫメッセージをセントレックスゲートウェイ１０４に送出する（ステップＳ５３０）。
【００６６】
以上の一斉着信による呼接続処理により、グループ番号「１」のＳＩＰ電話機１０６，１０７が一斉に着信鳴動したことを受けて、無線通信エリアＡ１に存在するＰＨＳ端末Ｔ１が特定キーの操作により、一斉着信に応答して、発信側ＳＩＰ電話機と通話することが可能になる。
【００６７】
次に、ＰＨＳ端末Ｔ１が着信応答したことにより、鳴動中のＳＩＰ電話機１０６、１０７の鳴動を停止させ呼接続を遮断する処理について、図６に示すシーケンスを参照して説明する。
【００６８】
図６において、ＳＩＰサーバ１０５は、ＢＹＥメッセージをＳＩＰ電話機１０６に送出する（ステップＳ５３１）。ＳＩＰ電話機１０６は、ＳＩＰサーバ１０５からＢＹＥメッセージを受け付けると、２００ＯＫメッセージをＳＩＰサーバ１０５に返送し（ステップＳ５３２）、続いて、４８７  Ｒｅｑｕｅｓｔ  ＴｅｒｍｉｎａｔｅｄメッセージをＳＩＰサーブ１０５に送出する（ステップＳ５３３）。
【００６９】
ＳＩＰサーバ１０５は、ＳＩＰ電話機１０６から４８７  Ｒｅｑｕｅｓｔ  Ｔｅｒｍｉｎａｔｅｄメッセージを受け付けると、ＡＣＫメッセージをＳＩＰ電話機１０６に送出して、当該一斉着信を中断する（ステップＳ５３４）。
【００７０】
次に、ＳＩＰサーバ１０５は、ＢＹＥメッセージをＳＩＰ電話機１０７に送出する（ステップＳ５３５）。ＳＩＰ電話機１０７は、ＳＩＰサーバ１０５からＢＹＥメッセージを受け付けると、２００ＯＫメッセージをＳＩＰサーバ１０５に返送し（ステップＳ５３６）、続いて、４８７  Ｒｅｑｕｅｓｔ  ＴｅｒｍｉｎａｔｅｄメッセージをＳＩＰサーバ１０５に送出する（ステップＳ５３７）。
【００７１】
ＳＩＰサーバ１０５は、ＳＩＰ電話機１０７から４８７  Ｒｅｑｕｅｓｔ  Ｔｅｒｍｉｎａｔｅｄメッセージを受け付けると、ＡＣＫメッセージをＳＩＰ電話機１０７に送出して、当該一斉着信を中断する（ステップＳ５３８）。
【００７２】
以上のように、本実施の形態１では、セントレックスゲートウェイ１０４のメモリ４０３内に、一斉着信用加入者番号テーブル５０１、一斉着信用親番号テーブル５０２、加入者単位グループテーブル５０３、特番テーブル５０４及び代表一斉着信キューイングテーブル６００を記憶した。
【００７３】
そして、セントレックスゲートウェイ１０４は、発信側ＳＩＰ電話機から送信される一斉着信要求に設定される親端末の電話番号に基づいて、一斉着信先のグループ番号を判別するとともに、一斉着信要求に設定された呼情報を判別したグループ番号に対応付けて代表一斉着信キューイングテーブル６００に蓄積するようにした。
【００７４】
一方、一斉着信先グループでは、親端末であるＳＩＰ電話機１０６と、親端末以外のＳＩＰ電話機１０７が一斉着信により鳴動し、同一グループの無線通信エリアＡ１に存在するＰＨＳ端末Ｔ１のユーザか、その着信鳴動を聞いて、予め決められた特番「＃」をＰＨＳ端末Ｔ１からＰＨＳゲートウェイ１０１に応答発信すると、その特番「＃」がＰＨＳゲートウェイ１０１からゲートキーパ１０３を介してセントレックスゲートウェイ１０４に送出される。
【００７５】
そして、セントレックスゲートウェイ１０４は、特番「＃」を受け付けるにより発信したＰＨＳ端末Ｔ１が一斉着信応答であることを判別し、先に蓄積したグループ番号「１」の呼情報に基づいて、ＰＨＳ端末Ｔ１と発信側ＳＩＰ電話機との間の呼接続処理を実行するようにした。
【００７６】
したがって、一斉着信要求をグループ毎にキューイングして、応答した着信先通信端末との間の呼接続処理をＳＩＰ手順で実行することが可能となり、ＳＩＰを採用するＩＰ電話システムに対して一斉着信サービスを提供することができる。また、ＰＨＳ端末に対しても一斉着信サービスを提供することができる。
【００７７】
また、ＰＨＳ端末では、「＃」キーの操作を行うだけで一斉着信に応答することができ、一斉着信に応答する応答操作が容易になる。
【００７８】
（実施の形態２）
本実施の形態２では、一斉着信先グループに属するＩＰ電話機に対して、一斉着信処理を実行する場合について説明する。
【００７９】
なお、本実施の形態２のシステム構成は、上記実施の形態１の図１に示したＩＰ電話システム１００に、グループに属するＩＰ電話機Ｐ１，Ｐ２を追加するだけであるため、その図示及び構成説明は省略する。ここでは、ＩＰ電話機Ｐ１、Ｐ２はＨ．３２３端末であるものとして説明する。
【００８０】
次に、外部のＳＩＰ電話機から、ＳＩＰ電話機１０６，１０７とＩＰ電話機Ｐ１，Ｐ２が属するグループに対する一斉着信要求が送信された場合に、図１に示したＩＰ電話システム１００における動作について、図７及び図８に示すシーケンス図を用いて説明する。
【００８１】
なお、この動作説明に対応するため、ＰＨＳゲートウェイ１０１、ゲートキーパ１０３、セントレックスゲートウェイ１０４及びＳＩＰ電話機１０６，１０７に設定する電話番号とＩＰアドレスの内容は、上記図５の説明で設定した内容と同様であるものとする。
【００８２】
また、ＩＰ電話機Ｐ１には、電話番号「０５０−１１１１４４４４」が設定され、ＩＰ電話Ｐ２には、電話番号「０５０−１１１１５５５５」が設定されているものとする。また、グループ内の親端末は、上記実施の形態１と同様に、ＳＩＰ電話機１０６である。
【００８３】
図７に示すステップＳ７０１〜ステップＳ７１５までの手順は、上記図５のステップＳ５０１〜ステップＳ５１５までの手順と、処理内容が同様であるため、動作説明は省略する。したがって、図７において、グループ内の一斉着信鳴動により、ＩＰ電話機Ｐ１のユーザが応答操作するステップＳ７１６の手順から説明を始める。
【００８４】
図７において、ＳＩＰ電話機１０６，１０７の一斉着信鳴動により、同一グループ内のＩＰ電話機Ｐ１のユーザが一斉着信に応答しようとして、「＃」ボタンを操作し、オフフック操作すると（ステップＳ７１６）、ＩＰ電話機Ｐ１は、「＃」情報と自身の電話番号「０５０−１１１１５５５５」を設定したＡＲＱ（参加要求）メッセージをゲートキーパ１０３に送出する（ステップＳ７１７）。ゲートキーパ１０３は、ＩＰ電話機Ｐ１からＡＲＱ（参加要求）メッセージを受信すると、ＡＣＦ（Admisson Confirm：許可確認）メッセージをＩＰ電話機Ｐ１に返送する（ステップＳ７１８）。
【００８５】
次に、ＩＰ電話機Ｐ１は、「＃」情報と電話番号「０５０−１１１１５５５５」を設定したＳＥＴＵＰ（呼設定）メッセージをセントレックスゲートウェイ１０４に送出する（ステップＳ７１９）。セントレックスゲートウェイ１０４は、ＩＰ電話機Ｐ１からＳＥＴＵＰ（呼設定）メッセージを受け付けると、設定された「＃」情報に基づいて図３（ｄ）の特番テーブル５０４を参照して、一斉着信応答であることを認識する。
【００８６】
次に、セントレックスゲートウェイ１０４は、ＣＡＬＬ  ＰＲＯＣ（CALL PROCEEDING ：呼設定受付）メッセージをＩＰ電話機Ｐ１に送出し（ステップＳ７２０）、続いて、ＡＲＱ（参加要求）メッセージをゲートキーパ１０３に送出する（ステップＳ７２１）。ゲートキーパ１０３は、セントレックスゲートウェイ１０４からＡＲＱ（参加要求）メッセージを受け付けると、ＡＣＦ（許可確認）メッセージをセントレックスゲートウェイ１０４に返送する（ステップＳ７２２）。
【００８７】
次に、セントレックスゲートウェイ１０４は、ゲートキーパ１０３からＡＣＦ（許可確認）メッセージを受け付けると、上記ステップＳ７１３（図５のステップＳ５１３と同様）で判別した一斉着信先のグループ番号「１」に基づいて、図４の代表一斉着信キューイングテーブル６００に蓄積されたグループ番号「１」の呼情報のうち、着信順位が早いものを抽出し、この呼情報を設定したＣＯＮＮ（接続）メッセージをＩＰ電話機Ｐ１に送出する（ステップＳ７２３）。
【００８８】
また、セントレックスゲートウェイ１０４は、２００ＯＫメッセージをＳＩＰサーバ１０５に送出する（ステップＳ７２４）。ＳＩＰサーバ１０５は、セントレックスゲートウェイ１０４から２００ＯＫメッセージを受け付けると、２００ＯＫメッセージを発信側ＳＩＰ電話機に送出する（ステップＳ７２５）。
【００８９】
次に、ＳＩＰ電話機は、ＳＩＰサーバ１０５から２００ＯＫメッセージを受け付けると、ＡＣＫメッセージをＳＩＰサーバ１０５に返送する（ステップＳ７２６）。ＳＩＰサーバ１０５は、ＳＩＰ電話機からＡＣＫメッセージを受け付けると、ＡＣＫメッセージをセントレックスゲートウェイ１０４に送出する（ステップＳ７２７）。
【００９０】
以上の一斉着信による呼接続処理により、グループ番号「１」のＳＩＰ電話機１０６，１０７が一斉に着信鳴動したことを受けて、同一グループに存在するＩＰ電話機Ｐ１が特定キーの操作により、一斉着信に応答して、発信側ＳＩＰ電話機と通話することが可能になる。
【００９１】
次に、ＩＰ電話機Ｐ１が着信応答したことにより、鳴動中のＳＩＰ電話機１０６、１０７の鳴動を停止させ呼接続を遮断する処理について、図８に示すシーケンスを参照して説明する。
【００９２】
図８において、ＳＩＰサーバ１０５は、ＢＹＥメッセージをＳＩＰ電話機１０６に送出する（ステップＳ７３１）。ＳＩＰ電話機１０６は、ＳＩＰサーバ１０５からＢＹＥメッセージを受け付けると、２００ＯＫメッセージをＳＩＰサーバ１０５に返送し（ステップＳ７３２）、続いて、４８７  Ｒｅｑｕｅｓｔ  ＴｅｒｍｉｎａｔｅｄメッセージをＳＩＰサーバ１０５に送出する（ステップＳ７３３）。
【００９３】
ＳＩＰサーバ１０５は、ＳＩＰ電話機１０６から４８７  Ｒｅｑｕｅｓｔ  Ｔｅｒｍｉｎａｔｅｄメッセージを受け付けると、ＡＣＫメッセージをＳＩＰ電話機１０６に送出して（ステップＳ７３４）、当該一斉着信を中断する。
【００９４】
次に、ＳＩＰサーバ１０５は、ＢＹＥメッセージをＳＩＰ電話機１０７に送出する（ステップＳ７３５）。ＳＩＰ電話機１０７は、ＳＩＰサーバ１０５からＢＹＥメッセージを受け付けると、２００ＯＫメッセージをＳＩＰサーバ１０５に返送し（ステップＳ７３６）、続いて、４８７  Ｒｅｑｕｅｓｔ  ＴｅｒｍｉｎａｔｅｄメッセージをＳＩＰサーバ１０５に送出する（ステップＳ７３７）。
【００９５】
ＳＩＰサーバ１０５は、ＳＩＰ電話機１０７から４８７  Ｒｅｑｕｅｓｔ  Ｔｅｒｍｉｎａｔｅｄメッセージを受け付けると、ＡＣＫメッセージをＳＩＰ電話機１０７に送出して、当該一斉着信を中断する（ステップＳ７３８）。
【００９６】
以上のように、一斉着信先グループ内のＩＰ電話機が着信応答する場合も、ＳＩＰ手順を用いて発信側ＳＩＰ電話機との間の呼接続処理を実現することができる。
【００９７】
したがって、一斉着信要求をグループ毎にキューイングして、応答した着信先通信端末との間の呼接続処理をＳＩＰ手順で実行することが可能となり、ＳＩＰを採用するＩＰ電話システムに対して一斉着信サービスを提供することができる。
【００９８】
なお、上記各実施の形態に示したＩＰ電話システム１００のシステム構成は一例であり、特に、一斉着信先グループ内の通信端末の種類は特に限定することなく、本発明が適用可能である。
【００９９】
また、上記実施の形態１に示したＩＮＶＩＴＥメッセージに設定する呼情報の内容は、着信先、発信元の各ＵＲＩや一斉着信グループの親端末の電話番号を示すものに限らず、他の情報として、例えば、音声コーデックの仕様を設定する情報等を含ませるようにしてもよく、その情報内容を特に限定するものではない。
【０１００】
また、特番テーブル５０４に設定した「＃」は、これに限るものではなく、応答する通信端末において操作可能な番号や他の記号であれば何でもよい。
【産業上の利用可能性】
【０１０１】
本発明に係る呼接続処理装置によれば、一斉着信要求をグループ毎にキューイングして、応答した着信先通信端末との間の呼接続処理をＳＩＰ手順で実行することが可能となり、ＳＩＰを採用するＩＰ電話システムに対して一斉着信サービスを提供できる点で有用である。
【図面の簡単な説明】
【０１０２】
【図１】本発明を適用した実施の形態１に係るＩＰ電話システムの構成を示す図
【図２】本実施の形態１に係るセントレックスゲートウェイの構成を示すブロック図
【図３】本実施の形態１に係る、（ａ）は一斉着信用加入者番号テーブルを示す図、（ｂ）は一斉着信用親番号テーブルを示す図、（ｃ）は加入者単位グループテーブルを示す図、（ｄ）は特番テーブルを示す図
【図４】本実施の形態１に係る代表一斉着信キューイングテーブルを示す図
【図５】本実施の形態１に係る呼接続手順のシーケンス図
【図６】本実施の形態１に係る呼中断手順のシーケンス図
【図７】本実施の形態２に係る呼接続手順のシーケンス図
【図８】本実施の形態２に係る呼中断手順のシーケンス図
【符号の説明】
【０１０３】
１００  ＩＰ電話システム
１０１、１０２  ＰＨＳゲートウェイ
１０３  ゲートキーパ
１０４  セントレックスゲートウェイ
１０５  ＳＩＰサーバ
１０６、１０７  ＳＩＰ電話機
１１０  ＩＰネットワーク
２０１、２０２、３０１、３０２  基地局
４０１  ＣＰＵ
４０２  呼接続制御部
４０３  メモリ
４０４  ＴＣＰ／ＩＰ制御部
５０１  一斉着信用加入者番号テーブル
５０２  一斉着信用親番号テーブル
５０３  加入者単位グループテーブル
５０４  特番テーブル
６００  代表一斉着信キューイングテーブル
【図１】
2006033517.tif 000003
【図２】
2006033517.tif 000004
【図３】
2006033517.tif 000005
【図４】
2006033517.tif 000006
【図５】
2006033517.tif 000007
【図６】
2006033517.tif 000008
【図７】
2006033517.tif 000009
【図８】
2006033517.tif 000010